(57)【要約】【課題】手に装着したままで、認証時の手の状態や個人差にかかわらず高精度な認証作業が可能であって、使用寿命も長い手袋を提供することを目的とする。【解決手段】本発明を適用した手袋１は、手袋本体２と、認証可能なシボ１３を外面に有し、手袋本体２の指袋８・９・１０・１１・１２の少なくとも一部の指袋８・９・１０に接合部２４・２５を介して取り付けられた認証用の皮革部３・４・５と、指袋８・９・１０と皮革部３・４・５間の伸縮差で接合部２４・２５に作用する応力を軽減する応力緩和構成１７・１８・１９・２０とを備えるものである。【選択図】図４
2016223022.tif 000002
【特許請求の範囲】
【請求項１】
手袋本体と、
認証可能なシボを外面に有し、前記手袋本体の指袋の少なくとも一部に接合部を介して取り付けられた認証用の皮革部と、
前記指袋と皮革部間の伸縮差で接合部に作用する応力を軽減する応力緩和構成とを備える
手袋。
【請求項２】
前記応力緩和構成は、
前記皮革部に形成され、前記手袋を手に装着した際の指袋の伸び量に相当する伸び代を有する圧縮しわを含む
請求項１に記載の手袋。
【請求項３】
前記応力緩和構成は、前記接合部に介装されて伸縮差を部材内で吸収する伸縮性部材を含む
請求項１に記載の手袋。
【請求項４】
前記皮革部は、該皮革部の内面と外面との間を導通可能な第一導電構成を含む
請求項１から請求項３のいずれか一項に記載の手袋。
【請求項５】
前記指袋は、該指袋の内面と前記皮革部の内面に接触する指袋の外面との間を導通可能な第二導電構成を含む
請求項４に記載の手袋。
【請求項６】
前記皮革部は、前記指袋の先部に被嵌可能なキャップ構造を含む
請求項１から請求項５のいずれか一項に記載の手袋。
【発明の詳細な説明】
【技術分野】
【０００１】
本発明は、手袋に関する。詳しくは、手に装着したままで、認証時の手の状態や個人差にかかわらず高精度な認証作業が可能であって、使用寿命も長い手袋に係わるものである。
【背景技術】
【０００２】
多機能携帯電話であるスマートフォン等の携帯情報端末（以下、「端末」とする）には、端末の筐体の一部に指紋センサが装備されたり、端末の操作用のタッチパネルに指紋センサ機能が組み込まれたりしており、端末の操作者が手の指先でセンサ面に触れることで、指の指紋を読み取れるようにしている。
【０００３】
そして、この読み取りによって得られる操作者の情報（以下、「検知情報」とする）を、端末内や外部に予め記憶された正規操作者に関する情報（以下、「認証情報」とする）と照合することにより、操作者が正規操作者であるか否かを判断し、正規操作者以外の操作者による端末使用を防止する技術が公知となっている（例えば、特許文献１参照）。
【先行技術文献】
【特許文献】
【０００４】
【特許文献１】特開２０１２−２２６７２０号公報
【発明の概要】
【発明が解決しようとする課題】
【０００５】
しかしながら、操作者が、寒冷環境下での日常生活、精密機器の取扱作業、重量物の移動作業などを行うために手袋を装着している場合は、手袋を外してから指先でセンサ面に触れる必要がある。このため、手袋の着脱に手間がかかり、日常生活に支障が出たり、作業効率が低下したりすると共に、手袋を外して露出した手への負担が増す。
【０００６】
更に、指紋が怪我や病気などで大きく変化すると、検知情報と認証情報との間に大きさ差異が生じる。このため、操作者が正規操作者であるにもかかわらず本人であると認識されずに、認証精度が著しく悪化する。
【０００７】
加えて、指紋の模様の種類によっては認証精度にばらつきがあり、例えば、弓状腺のみで構成される弓状紋の場合は、指紋の渦が明確でないことから照合が難しい。このため、人によっては認証精度が低く、認証に何度も失敗して手間暇がかかり、著しい時は指紋登録さえもできない場合がある。
【０００８】
本発明は、以上の点に鑑みて創案されたものであり、手に装着したままで、認証時の手の状態や個人差にかかわらず高精度な認証作業が可能であって、使用寿命も長い手袋を提供することを目的とする。
【課題を解決するための手段】
【０００９】
上記の目的を達成するために、本発明の手袋は、手袋本体と、認証用のシボを外側に有し、前記手袋本体の指袋の少なくとも一部に接合部を介して取り付けられた皮革部と、前記指袋と皮革部間の伸縮差によって接合部に作用する応力を軽減する応力緩和構成とを備えている。
【００１０】
そして、認証用の皮革部が、手袋本体の指袋の少なくとも一部に接合部を介して取り付けられることによって、端末を操作する操作者の日常生活を円滑にし、作業性も向上させると共に、手への負担を軽減することができる。すなわち、手袋を装着したまま、皮革部でセンサ面に触れるだけで検知情報が取得されることになり、手袋の着脱を不要にして、認証時の手間を省くと共に、手袋による手の保護も確実に行うことができる。
【００１１】
更に、皮革部の外面に、認証可能なシボを有することによって、認証精度を向上させることができる。すなわち、「指紋」とは異なり、認証時の手の状態や個人差の影響を受けることのない「シボ」を認証パラメータとし、この「シボ」の中でも誤認証の確率が低いものを使用することで、高い認証精度を安定して得ることができる。
【００１２】
加えて、指袋と皮革部間の伸縮差で接合部に作用する応力を軽減する応力緩和構成を備えることによって、手袋の使用寿命を向上させることができる。すなわち、手袋本体をニットなどのストレッチ素材から形成した場合、この手袋本体の指袋に対して皮革部はほとんど伸縮しないことから、手に手袋を装着して手袋本体が伸張した状態では、皮革部と指袋間の接合部に大きな応力が作用する。そして、この応力、特に引張応力が応力緩和構成によって軽減されることになり、接合部における破断を確実に防止することができる。
【００１３】
また、応力緩和構成が、皮革部に形成され、手袋を手に装着した際の指袋の伸び量に相当する伸び代を有する圧縮しわを含む場合には、指袋に対して皮革部がほとんど伸縮しない手袋を手に装着しても、指袋と一緒に皮革部も伸張することができる。これにより、皮革部に圧縮しわを設けるだけの簡単な構成で、手袋使用時に接合部が指袋によって引っ張られて破断するのを、確実に防止することができる。
【００１４】
また、応力緩和構成が、接合部に介装されて伸縮差を部材内で吸収する伸縮性部材を含む場合には、手袋を手に装着して指袋が伸張すると、ほとんど伸縮しない皮革部にかわって、伸縮性部材が指袋と一緒に伸張することができる。これにより、接合部に伸縮性部材を介装するだけの簡単な構成で、手袋使用時に接合部が指袋によって引っ張られて破断するのを、確実に防止することができる。
【００１５】
また、皮革部が、該皮革部の内面と外面との間を導通可能な第一導電構成を含む場合には、端末の静電容量方式のタッチパネルの表面に、導電性を有する皮革部を介して指が触れ、位置データを端末に入力することができる。これにより、指袋の切り欠き部分に皮革部を取り付けた単層認証部タイプの手袋において、手袋を装着したままでの皮革部による端末操作が可能となり、操作性の向上を図ることができる。
【００１６】
また、指袋が、該指袋の内面と皮革部の内面に接触する指袋の外面との間を導通可能な第二導電構成を含む場合には、たとえ、皮革部が指袋の外面にあって該皮革部と指との間に指袋が介設されていても、端末の静電容量方式のタッチパネルの表面に、導電性を有する皮革部と指袋を介して指が触れ、位置データを端末に入力することができる。これにより、指袋の外面に重ねて皮革部を取り付けた多層認証部タイプの手袋においても、手袋を装着したままでの皮革部による端末操作が可能となる。
【００１７】
また、皮革部が、指袋の先部に被嵌可能なキャップ構造を含む場合には、皮革部をシート状などに形成して指袋の外面の一部に取り付けるのに比べ、指先を手厚く保護すると共に、手袋製造時の皮革部の位置決めが容易となる。これにより、認証操作や端末操作にともなう指先への負担が軽減できると共に、手袋の生産性の向上も図ることができる。
【発明の効果】
【００１８】
本発明に係わる手袋は、手に装着したままで、認証時の手の状態や個人差にかかわらず高精度な認証作業が可能であって、使用寿命も長いものとなっている。
【図面の簡単な説明】
【００１９】
【図１】本発明に係わる手袋の全体構成を示す図であって、図１（ａ）は手に装着した状態における手袋の腹部の正面図、図１（ｂ）は同じく手袋の甲部の正面図である。
【図２】手袋の使用状態を示す斜視図である。
【図３】指袋への皮革部の取付構成を示す指袋の説明図であって、図３（ａ）はシート状の皮革部を外面に貼設した多層認証部タイプの手袋における指袋の側面断面図、図３（ｂ）はキャップ状の皮革部を外面に貼設した多層認証部タイプの手袋における指袋の側面断面図、図３（ｃ）は指袋の先部の切断端部にキャップ状の皮革部の基端部を接合した単層認証部タイプの手袋における指袋の側面断面図である。
【図４】多層認証部タイプの手袋における圧縮しわによる応力緩和構成を示す指袋の説明図であって、図４（ａ）は圧縮しわを有するキャップ状の皮革部を外面に貼設した指袋の側面断面図、図４（ｂ）は同じ指袋であって手のダミー材に装着した状態の側面断面図である。
【図５】単層認証部タイプの手袋における圧縮しわによる応力緩和構成を示す指袋の説明図であって、図５（ａ）は圧縮しわを有するキャップ状の皮革部を指袋の先部の切断端部に接合した指袋の側面断面図、図５（ｂ）は同じ指袋であって手のダミー材に装着した状態の側面断面図である。
【図６】伸縮性シートによる応力緩和構成を示す指袋の説明図であって、図６（ａ）は多層認証部タイプの手袋において、伸縮性のシート部材を指袋の外面とキャップ状の皮革部の内面との間に介装し、手に装着した状態の指袋の側面断面図、図６（ｂ）は単層認証部タイプの手袋において、伸縮性のリング部材を指袋の先部の切断端部とキャップ状の皮革部の基端部との間に介装し、手に装着した状態の指袋の側面断面図である。
【図７】緩めの縫製による応力緩和構成を示す指袋の説明図であって、図７（ａ）は多層認証部タイプの手袋において、指袋の外面とキャップ状の皮革部の内面との間を緩く縫製し、手に装着した状態の指袋の側面断面図、図７（ｂ）は単層認証部タイプの手袋において、指袋の先部の切断端部とキャップ状の皮革部の基端部との間を緩く縫製し、手に装着した状態の指袋の側面断面図である。
【図８】単層認証部タイプの手袋におけるスリットによる応力緩和構成を示す指袋の説明図であって、図８（ａ）はスリットを有するキャップ状の皮革部を接合した指袋の側面断面図、図８（ｂ）は同じ指袋であって手に装着した状態の側面断面図である。
【発明を実施するための形態】
【００２０】
以下、手袋に関する本発明の実施の形態について、図面を参照しながら説明し、本発明の理解に供する。
【００２１】
まず、本発明を適用した手袋の一例である防寒用の手袋１の全体構成と使用方法について、図１、図２により説明する。なお、手袋１は、左右対称構造であるため、ここでは、左手用の手袋についてのみ説明し、右手用の手袋の説明は省略する。
【００２２】
図１に示すように、手袋１は、手袋本体２と、手袋本体２に取り付ける認証用の複数の皮革部３・４・５と、手袋本体２の指袋８・９・１０と皮革部３・４・５間の伸縮差による応力を軽減するものであって後述する応力緩和構成とから構成される。
【００２３】
このうちの手袋本体２は、操作者の左手６の手の平６ｆと手の甲６ｇを前後から覆う主被覆部７と、操作者の第一指６ａ乃至第五指６ｅをそれぞれ覆う袋状の指袋８乃至指袋１２を有している。
【００２４】
更に、手袋本体２は、前述した皮革部３・４・５よりも伸縮性に富むニットやゴムなどの伸縮性素材から形成される。ただし、天然皮革や、天然の布地を基材にして合成樹脂を外表面に塗布した合成皮革のような革素材であっても、柔軟加工処理などを施して皮革部３・４・５よりも伸縮性に優れたものであれば、手袋本体２として使用可能であり、素材の種類は、特に限定されるものではない。
【００２５】
皮革部３・４・５は、袋状構造であって、それぞれ指袋８・９・１０の先部に被嵌されている。
【００２６】
更に、これらの皮革部３・４・５の外面のいずれにも、個人認証用の「シボ」が設けられている。ここで、「シボ」とは、鞣し後の革素材に不均一な揉み加工や収縮剤添加を行うことによって、革素材表面に形成された細かな凹凸であり、固体毎に完全に一致することのない表面紋様であることから、指紋と同様に、個人を認証するための認証パラメータとしての利用が可能である。
【００２７】
加えて、「シボ」は、「指紋」のように操作者の怪我や病気などで変化することがなく、しかも、「指紋」では模様の種類によって認証精度にばらつきが生じるのに対し、「シボ」では誤認証の確率の低いものを予め選別して使用することにより、認証精度の安定向上を図ることができる。従って、「シボ」を利用することで、認証時の手の状態や個人差の影響を受けることのない、安定した高い認証精度が得られる。
【００２８】
また、以上のような構成において、この手袋１を使用する場合は、図２に示すように、操作者が左手６に手袋１を装着し、左手６でスマートフォン１４を把持した後、左手６の第一指６ａを覆う指袋８の先部に被嵌された第一皮革部３で、スマートフォン１４のタッチパネル１４ａに触れる。
【００２９】
すると、シボ１３の表面凹凸による静電容量の変化を、タッチパネル１４ａに内蔵した認証センサが検知し、表面凹凸を検知情報として読み取った後、該検知情報を、スマートフォン１４内または外部サーバーに記憶された認証情報と照合することにより、操作者が正規操作者本人であるか否かを判断することができる。
【００３０】
すなわち、認証用のシボ１３を外面に有する皮革部３・４・５を、手袋本体２の指袋８乃至指袋１２の少なくとも一部に取り付けるので、手袋１を装着したままで皮革部３・４・５をタッチパネル１４ａに触れさせるだけで、検知情報が取得され、手袋１の着脱を不要にすることができるのである。
【００３１】
なお、本実施例では、左手６でスマートフォン１４を把持したまま、同じ側の左手６の親指にあたる第一指６ａをタッチパネル１４ａ側に押しつけるようにしているが、スマートフォン１４を把持する手は左手６のままで、反対の右手の第二指である人差し指をタッチパネル１４ａ側に押しつけるようにしてもよく、認証操作の操作性が低下しなければ、特に操作方法は限定されない。
【００３２】
次に、指袋８への皮革部３・４・５の取付構成と導電構成について、図２、図３により説明する。なお、皮革部３・４・５の構成は略同じであるため、ここでは、左手６の第一指６ａを覆う指袋８の先部８ａに被嵌された第一皮革部３についてのみ説明し、他の皮革部４・５の説明は省略する。
【００３３】
図３（ｂ）に示すように、指袋８の先部８ａには、キャップ状の第一皮革部３が被嵌され接着材によって貼設されている。該第一皮革部３によると、後述する第一皮革部３Ａのようにシート状などに形成して指袋８の外面の一部に取り付けるのに比べ、指先を手厚く保護すると共に、手袋１製造時の皮革部３・４・５の位置決めも容易となる。
【００３４】
そして、このような第一皮革部３は、染色段階で内部にカーボンブラックなどの導電材を分散させるなどして十分な導電性を付与した皮革から成り、これにより、第一皮革部３は、該第一皮革部３の内外面３ａ・３ｂ間を導通可能な第一導電構成３１を含んでいる。
【００３５】
更に、指袋８の先部８ａにおいて、木綿糸に導電材を含浸させるなどして導電性を付与した導電糸１５が、先部８ａを内外方向に貫通し、その内面８ａ１と外面８ａ２の両面に露出しており、これにより、指袋８は、該指袋８の内面８ａ１と、第一皮革部３の内面３ａに接触する外面８ａ２との間を導通可能な第二導電構成３２を含んでいる。
【００３６】
このような、指袋８の外面８ａ２に重ねて第一皮革部３を取り付けた多層認証部タイプの手袋１では、該手袋１を装着したまま、図２に示すように、第一指６ａをタッチパネル１４ａ側に押しつけ、該タッチパネル１４ａに第一皮革部３を接触させることにより、内部の第一指６ａが、第二導電構成３２を含む指袋８から第一導電構成３１を含む第一皮革部３を介して、タッチパネル１４ａに導通接続される。
【００３７】
すると、タッチパネル１４ａに内蔵した図示せぬ位置センサにより、第一皮革部３のシボ１３の表面凹凸のデータ（以下、「シボデータ」とする）に加えて、位置データも同時に検知され、手袋１を装着したままでの認証操作と端末操作が可能となる。
【００３８】
また、図３（ａ）に示すように、指袋８の先部８ａの腹部分である先端腹部８ｂに、シート状の第一皮革部３Ａが接着材によって貼設されるようにしてもよい。
【００３９】
該第一皮革部３Ａも十分な導電性を付与した皮革から成り、第一皮革部３Ａの内外面３Ａａ・３Ａｂ間を導通可能な第一導電構成３１を含んでいる。
【００４０】
更に、指袋８の先端腹部８ｂにおいても、導電糸１５が内外方向に貫通し、その内面８ｂ１と外面８ｂ２の両方に露出しており、これにより、該内面８ｂ１と、第一皮革部３Ａの内面３Ａａに接触する外面８ｂ２との間を導通可能な第二導電構成３２を含んでいる。
【００４１】
このような多層認証部タイプの手袋１Ａでも、該手袋１Ａを装着したままで、第一指６ａをタッチパネル１４ａ側に押しつけ、該タッチパネル１４ａに第一皮革部３Ａを接触させることにより、内部の第一指６ａが、第二導電構成３２を含む指袋８から第一導電構成３１を含む第一皮革部３Ａを介して、タッチパネル１４ａに導通接続される。
【００４２】
これにより、シボデータと位置データが同時に検知され、手袋１Ａを装着したままでの認証操作と端末操作が可能となる。
【００４３】
また、図３（ｃ）に示すように、指袋８の先部８ａを切り欠いてできた切断端部８ｃに、キャップ状の第一皮革部３の基端部３ｃが接着材によって接合されるようにしてもよい。
【００４４】
このような、指袋８の切り欠き部分である切断端部８ｃに第一皮革部３を取り付けた単層認証部タイプの手袋１Ｂでは、該手袋１Ｂを装着したままで、第一指６ａをタッチパネル１４ａ側に押しつけ、該タッチパネル１４ａに第一皮革部３を接触させることにより、内部の第一指６ａが、第一導電構成３１を含む第一皮革部３のみを介してタッチパネル１４ａに導通接続される。
【００４５】
これにより、シボデータと位置データが同時に検知され、手袋１Ｂを装着したままでの認証操作と端末操作が可能となる。
【００４６】
なお、以上の実施例では、静電容量方式のタッチパネル１４ａでシボデータを検知しているが、光学方式、感熱方式などの他の方式で検知してもよく、シボデータの検知方式は、特に限定されるものではない。
【００４７】
この際、手袋１・１Ａ・１Ｂを装着したままでの端末操作が不要であり、認証操作のみ行うのであれば、内部の第一指６ａとタッチパネル１４ａ間に導電性を確保する必要がないため、前述の第一導電構成３１や第二導電構成３２のいずれも省くことができる。
【００４８】
ただし、実施例のように静電容量方式のタッチパネル１４ａでシボデータと位置データを検知する際であっても、内部の第一指６ａとタッチパネル１４ａ間の検知距離が十分に短ければ導電性の確保が不要となり、第一導電構成３１や第二導電構成３２を省くことができる。
【００４９】
次に、前述した応力緩和構成について、図４乃至図８により説明する。
図４、図５に示す応力緩和構成１７とは、皮革部３に形成され、手袋１・１Ｂを左手６に装着した際の指袋８の伸び量に相当する伸び代を有する圧縮しわ１６・１６Ａを含むものである。
【００５０】
ここで、指袋８の伸び量とは、多層認証部タイプの手袋１では、指袋８で第一皮革部３が貼設される部分の伸び量であり、単層認証部タイプの手袋１Ｂでは、指袋８の先部８ａを第一皮革部３に変更しない場合の該先部８ａの伸び量とする。
【００５１】
圧縮しわ１６においては、図４（ｂ）に示すように、手袋１をダミー材２３に装着して指袋８を所定の伸び量だけ伸張させた後に、該指袋８の先部８ａに、キャップ状の第一皮革部３を、接着材にて張設状態で貼り付ける。
【００５２】
その後、手袋１からダミー材２３を脱着すると、図４（ａ）に示すように、指袋８が弾性収縮し、それに伴い、第一皮革部３が、該指袋８の外面８ａ２に貼着された内面３ａを介して、面内方向に圧縮される。
【００５３】
これにより、所定の伸び代を有する圧縮しわ１６が、手袋本体２の弾性力によって自動的に形成される。
【００５４】
これに対し、圧縮しわ１６Ａは、前述した圧縮しわ１６とは異なり、図５（ａ）に示すように、加工や薬剤添加により、予め第一皮革部３を面内方向に圧縮して、所定の伸び代を有する圧縮しわ１６Ａに形成しておく。
【００５５】
すると、図５（ｂ）に示すように、手袋１Ｂをダミー材２３に装着しても、指袋８と一緒に第一皮革部３も伸張させることができる。
【００５６】
以上のようにして、手袋１における指袋８の外面８ａ２、第一皮革部３の内面３ａ、および両面８ａ２・３ａ間の接着材から成る接合部２４や、手袋１Ｂにおける指袋８の切断端部８ｃ、第一皮革部３の基端部３ｃ、および両端部８ｃ・３ｃ間の接着材から成る接合部２５に作用する応力を軽減することができる。
【００５７】
また、以下に、別形態の応力緩和構成について説明する。
図６に示す応力緩和構成１８とは、前述した接合部２４・２５にそれぞれ介装し、指袋８と第一皮革部３間の伸縮差を部材内で吸収する伸縮性部材である伸縮性のシート部材２６・リング部材２７を含むものである。該シート部材２６・リング部材２７は、ゴムなどの弾性体によって構成される。
【００５８】
そして、図６（ａ）の手袋１Ｃの接合部２４Ａは、多層認証部タイプの手袋１の接合部２４内にキャップ状のシート部材２６を介装し、該シート部材２６と指袋８の間、シート部材２６と第一皮革部３の間を接着材で接合したものである。
【００５９】
更に、図６（ｂ）の手袋１Ｄの接合部２５Ａは、単層認証部タイプの手袋１Ｂの接合部２５内にリング部材２７を介装し、該リング部材２７と指袋８の間、リング部材２７と第一皮革部３の間を接着材で接合したものである。
【００６０】
これにより、いずれの手袋１Ｃ・１Ｄを左手６に装着して指袋８が伸張しても、ほとんど伸縮しない第一皮革部３にかわって、シート部材２６・リング部材２７が指袋８と一緒に伸縮するため、接合部２４Ａ・２５Ａが指袋８に引っ張られて破断するようなことはない。
【００６１】
図７に示す応力緩和構成１９とは、前述した接合部２４・２５の接着材に代え、第一皮革部３と指袋８間を緩めに縫製して接合する縫製糸２１を含むものである。
【００６２】
そして、図７（ａ）の手袋１Ｅの接合部２４Ｂは、多層認証部タイプの手袋１の接合部２４内で接着材に代えて縫製糸２１を含み、第一皮革部３と指袋８間を緩めの縫製糸２１で接合したものである。
【００６３】
更に、図７（ｂ）の手袋１Ｆの接合部２５Ｂは、単層認証部タイプの手袋１Ｂの接合部２５内で接着材に代えて縫製糸２１を含み、第一皮革部３と指袋８間を緩めの縫製糸２１で接合したものである。
【００６４】
これにより、いずれの手袋１Ｅ・１Ｆを左手６に装着して指袋８が伸張しても、ほとんど伸縮しない第一皮革部３にかわって、緩めの縫製糸２１が指袋８と一緒に伸縮するため、接合部２４Ｂ・２５Ｂが指袋８に引っ張られて破断するようなことはない。
【００６５】
図８に示す応力緩和構成２０とは、前述した接合部２５近傍に、第一皮革部３の外周に開口するスリット２２を含むものである。該スリット２２は、第一皮革部３の外周方向に長径を有する楕円形状などに形成される。
【００６６】
そして、該スリット２２を、図８（ａ）に示すように、予め第一皮革部３で接合部２５近傍に形成しておいた上で、図８（ｂ）に示すように、手袋１Ｇを左手６に装着すると、指袋８が伸張しても、ほとんど伸縮しない第一皮革部３にかわって、スリット２２が指袋８と一緒に開口するため、接合部２５が指袋８に引っ張られて破断するようなことはない。
【００６７】
すなわち、指袋８・９・１０と皮革部３・４・５間の伸縮差で接合部２４・２４Ａ・２４Ｂ・２５・２５Ａ・２５Ｂに作用する応力を軽減する応力緩和構成１７・１８・１９・２０を備えるので、接合部２４・２４Ａ・２４Ｂ・２５・２５Ａ・２５Ｂにおける破断を確実に防止して長寿命化を図ることができる。
【００６８】
以上のように、本発明を適用した手袋は、手に装着したままで、認証時の手の状態や個人差にかかわらず高精度な認証作業が可能であって、使用寿命も長いものとなっている。
【符号の説明】
【００６９】
１・１Ａ・１Ｂ・１Ｃ・１Ｄ・１Ｅ・１Ｆ・１Ｇ  手袋。
２  手袋本体
３・３Ａ・４・５  皮革部
３ａ  皮革部の内面
３ｂ  皮革部の外面
８・９・１０・１１・１２  指袋
８ａ１  指袋の内面
８ａ２  指袋の外面
１３  シボ
１６・１６Ａ  圧縮しわ
１７・１８・１９・２０  応力緩和構成
２４・２４Ａ・２４Ｂ・２５・２５Ａ・２５Ｂ  接合部
２６  シート部材
２７  リング部材
３１  第一導電構成
３２  第二導電構成
【図１】
2016223022.tif 000003
【図２】
2016223022.tif 000004
【図３】
2016223022.tif 000005
【図４】
2016223022.tif 000006
【図５】
2016223022.tif 000007
【図６】
2016223022.tif 000008
【図７】
2016223022.tif 000009
【図８】
2016223022.tif 000010